(57)【要約】      （修正有）【課題】優しい光度及び発光形式で発光する発光装置を備えるバックミラーを提供する。【解決手段】カバー１と、カバー１の内面に設けられ、光を反射する高反射係数の光照返し層１２と、カバー１の内部に設置され、光照返し層１２を照らす少なくとも１個の発光体４１を有する発光装置４と、カバー１の内面に定位装置を介して固定され、カバー１の開口１１に配置される鏡２と、カバー１の開口１１縁部と鏡２の縁部との間に形成され、発光装置４の光が漏出可能な隙間２１と、発光装置４に電気的に接続され、発光装置４を通電するためのコントロール装置とを備える。【選択図】図４
0003152152.tif 000002
【実用新案登録請求の範囲】
【請求項１】
前面に開口（１１）を有するカバー（１）と、
前記カバー（１）の内面に設けられ、光を前記カバー（１）の開口（１１）から前記カバー（１）の外へ反射させる、高反射係数の光照返し層（１２）と、
前記カバー（１）の内部に設置され、前記光照返し層（１２）を照らす少なくとも１個の発光体（４１）を有する発光装置（３）と、
前記カバー（１）の内面に定位装置（３）を介して固定され、前記カバー（１）の開口（１１）に配置される鏡（２）と、
前記カバー（１）の開口（１１）縁部と前記鏡（２）の縁部との間に形成され、前記発光装置（４）の光が漏出可能な隙間（２１）と、
前記発光装置（４）に電気的に接続され、前記発光装置（４）を通電するためのコントロール装置（５）と、
を備えたことを特徴とする照明付きバックミラー。
【請求項２】
光照返し層（１２）はカバー（１）内部の壁面に糊付け若しくは貼り付け若しくは一体成型若しくは電気鍍金により形成される請求項１に記載の照明付きバックミラー。
【請求項３】
発光装置（４）は鏡（２）の背面側周囲又は定位装置（３）の周囲若しくは横に設置される請求項１又は２に記載の照明付きバックミラー。
【請求項４】
カバー（１）の開き口（１１）とは反対側に透光灯台（６１）が設けられ、前記透光灯台（６１）内部に少なくとも１個の発光体（６２）を有する照明装置（６）が設置され、コントロール装置（５）に電気的に接続される請求項１乃至３のいずれかに記載の照明付きバックミラー。
【請求項５】
発光体（４１）、（６２）はＬＥＤ、ＬＥＤ照明ライト、ＳＭＤ  ＬＥＤ、ＳＭＤ  ＬＥＤ照明ライト、ハロゲンランプ、ＨＩＤ、電球、冷光片から選択的に採用される請求項４に記載の照明付きバックミラー。
【請求項６】
定位装置（３）は、コントロール装置（５）に電気的に接続され、鏡（２）の角度を調節する電動傾斜機構（３１）により構成され、前記電動傾斜機構（３１）は、カバー（１）の内面に設けられる駆動装置（３１１）と、前記駆動装置（３１１）に取り付けられて前記駆動装置（３１１）により駆動される自由板（３１５）と、前記鏡（２）の背面側に設けられ、前記自由板（３１５）にほぞ（３１３）、（３１４）と穴との係合により固定される第一定位板（３１２）とを備える請求項１乃至５のいずれかに記載の照明付きバックミラー。
【請求項７】
定位装置（３）は鏡（２）の角度を調整する自在継ぎ手機構（３２）により構成され、前記自在継ぎ手機構（３２）は、カバー（１）の内面に設置される定位座（３３）と、前記鏡（２）の背面側に設けられ、前記定位座（３３）に向けて突出される定位ジョイント（３５）を介して繋げられる第二定位板（３４）とを備える請求項１乃至５のいずれかに記載の照明付きバックミラー。
【請求項８】
定位装置（３）は、カバー（１）内に設けられる固定ホルダー（３６）と、鏡（２）の背面側に設けられ、前記固定ホルダー（３６）にほぞ（３８）と穴との係合により繋げられる第三定位板（３７）とにより構成される請求項１乃至５のいずれかに記載の照明付きバックミラー。
【請求項９】
隙間（２１）に防水性お呼び透光性を有するゴム（２２）が気密に設けられる請求項１乃至８のいずれかに記載の照明付きバックミラー。
【請求項１０】
コントロール装置（５）は自動車及び自動二輪車その他の交通乗り物の電源回路に電気的に接続される請求項１乃至９のいずれかに記載の照明付きバックミラー。
【考案の詳細な説明】
【技術分野】
【０００１】
本考案は自動車や二輪車などの交通乗り物に使用する照明付きバックミラー（後写鏡）に関する。
【背景技術】
【０００２】
自動車などの交通乗り物には、運転の際に後方を確認するため、バックミラーが設けられているが、このバックミラーは、暗い道や地下のモータープール、また、雨や霧の日などでは、周囲が暗いために、その効果が十分に発揮されていない。このため、自動車のバックミラーに照明装置を付けたものが提案され、これが例えば特許文献1に開示されている。この文献１のバックミラーはバックミラーホルダーに発光のパーツが象眼形式により設けられ、発光体から出た光により、運転手は車の周囲及び後方の様子が見易くなっている。
【先行技術文献】
【特許文献】
【０００３】
【特許文献１】台湾特許公告第２６６１９６番「多機能自動車バックミラー改良」
【考案の概要】
【考案が解決しようとする課題】
【０００４】
しかしながら、上記従来の照明付きバックミラーでは、後方の車両が近付いたときに、自車のバックミラーの発光に加えて後方の車両のヘッドライトの光を受けるため、これが逆に眩し過ぎて、交通安全上好ましくない、という問題があり、照明に改善の余地がある。また、発光のパーツが象眼形式の仕上げ方でバックミラーに設けられているため、このような形で発した光は鏡面上で平均的に光ることがなく、また、長期間の運転の間、高光度の光を受けるために、眼が疲れる、という問題があり、発する光源及び光度のバランスを向上させる必要がある。
【０００５】
本考案は、このような従来の課題を解決するものであり、この種の照明付きバックミラーにおいて、目に優しい光度及び発光形式で発光する発光装置を備えること、を目的とする。
【課題を解決するための手段】
【０００６】
上記目的を達成するために、本考案の照明付きバックミラーは、
カバー（１）に開き口（１１）を設け、
光を開き口（１１）からカバー（１）を通して外へ反射させるため、カバー（１）内側の壁に高反射係数の光照返し層（１２）を設け、
開き口（１１）にカガミ（２）を設け、
カガミ（２）の縁側と開き口（１１）の縁側に光が漏れるの隙間（２１）を有し、
カバー（１）とカガミ（２）の間にカガミ（２）を固定するための定位装置（３）を設け、
カバー（１）とカガミ（２）の間に発光装置（４）を幾つかに設け、且つ、カバー（１）内部に光を発し、
交通乗り物に発光装置（４）を通電？連接のコントロール装置（５）を設ける、
ことを特徴とし、
交通乗り物に装着される。
【０００７】
また、本考案の照明付きバックミラーは、各部が次のように具体化される。
（Ａ）上記、発光装置（４）は少なくとも一個以上の第一発光体（４１）をカバー（１）内部に設け、第一発光体（４１）はコントロール装置（５）が通電？連接させ、また、カバー（１）に光を照らし、開き口（１１）の反対側に照明装置（６）を設け、該照明装置（６）はカバー（１）に設置の透光灯台（６１）及び透光灯台（６１）の内部に一個以上、コントロール装置（５）が通電？連接させの第二発光体（６２）等で構成。
（Ｂ）上記の第一発光体（４１）及び第二発光体（６２）は下記何れか一つを使用：ＬＥＤ、ＬＥＤ照明ライト、ＳＭＤ  ＬＥＤ、ＳＭＤ  ＬＥＤ照明ライト、パロゲンランプ、ＨＩＤ、電球及び冷光片等。
（Ｃ）定位装置（３）はコントロール装置（５）と通電？連接、カガミ（２）の角度変換を調節するための電動傾斜機構（３１）、駆動装置（３１１）及び第一定位板（３１２）等で構成し、電動傾斜機構（３１）はカバー（１）内底部の駆動装置（３１１）及びカガミ（２）の裏側に有るの駆動装置（３１１）の上端部に固定され、また、駆動装置（３１１）に動かされるための第一定位板（３１２）等で構成し、該駆動装置（３１１）と第一定位板（３１２）の間に該駆動装置（３１１）を連接し、また、第一定位板（３１２）に動かさせるために固定させるの自由板（３１５）等で構成し、該第一定位板（３１２）の底側に幾つかの第一ほぞ（３１３）を自由板（３１５）に挿し接いで、また、第一ほぞ（３１３）に対し、第二ほぞ（３１４）を自由板（３１５）に挿し接ぐ。
（Ｄ）上記（Ｃ）に代えて、定位装置（３）はカガミ（２）の角度を調整するための自在継ぎ手機構（３２）であり、カバー（１）の表面に定位座（３３）を設置及び、カガミ（２）の裏側に定位座（３３）と繋げるの第二定位板（３４）等で構成、該第二定位板（３４）は定位座（３３）に向かう所に第二定位板（３４）と合わせるの定位ジョイント（３５）を設置し、該自在継ぎ手機構（３２）は以上の組み合わせで構成。
（Ｅ）上記（Ｃ）に代えて、定位装置（３）はカバー（１）内に連結の固定ホルダー（３６）及び、カガミ（２）の裏側に設置、また固定ホルダー（３６）に繋いで固定するの第三定位板（３７）などで構成、該第三定位板（３７）と固定ホルダー（３６）の繋ぎ所に固定ホルダー（３６）と合わせるの第三ほぞ（３８）を幾つかに有する。
（Ｆ）上記の隙間（２１）に防水、且つ透光性有りの気密ゴム（２２）を設けられ。
（Ｇ）上記の光照返し層（１２）は下記いずれか一つ方法でカバー（１）内部の壁に連結：糊付け、貼り付け、一体成型及び電気鍍金等。
（Ｈ）上記の発光装置（４）は下記何れか一つところに設置：カガミ（２）の裏側周囲及び定位装置（３）の横周囲。
（Ｉ）上記のコントロール装置（５）は交通乗り物の電路回路に繋げ、交通乗り物は二輪車自動車及び自動車である。
【考案の効果】
【０００８】
本考案は、上記の各構成により、次のような効果を奏する。
（イ）本考案中、最もメリットのところは、発光装置（４）は後ろを向いて発光し、また、カバー（１）を通して隙間（２１）からカガミ（２）の縁側へ優しい光を補助的な光として使われる、運転者は天気及び道路の状況に心配せず安全に運転ができ、さらに、反射発光を利用するため、光が眩し過ぎ及び後方車両のヘッドライトよりの光度差は一切発生せず、後方の運転者に迷惑もかけないため、交通安全性の向上及び交通事故の抑え、また、実用性も良好。
（ロ）反射照明によって、本考案はカガミ（２）上で平均に光り、また、長期間の運転で、高光度よりの疲れも無く、発する光源及び光度のバランスは良好で、産業利用性としても良い。
（ハ）本考案の発光は優しい光のため、違法の疑惑が無く、また、外観的に変えず、且つ、夜及び暗い場所には目立ち、後方車両の不注意でバックミラーに当たる可能性も大幅に降下になれる。
（ニ）本考案のコントロール装置（５）は交通乗り物の電路回路に繋げ、方向指示器及び警示灯としては使えられる。本考案のバックミラーを着装すれば、機能及び効果は普通のバックミラーよりますます広がる。
【図面の簡単な説明】
【０００９】
【図１】本考案の第１の実施の形態における照明付きバックミラーを示す斜視図
【図２】同バックミラーの分解斜視図
【図３】同バックミラーの断面図
【図４】同バックミラーの発光状態を示す断面図
【図５】同バックミラーの発光状態を示す斜視図
【図６】本考案の第２の実施の形態における照明付きバックミラーを示す斜視図
【図７】同バックミラーの断面図
【図８】本考案の第３の実施の形態における照明付きバックミラーを示す斜視図
【図９】同バックミラーの断面図
【考案を実施するための形態】
【００１０】
次に、この考案を実施するための形態について図を用いて説明する。図１乃至図５に第１の実施の形態を示している。図１、図２及び図３に示すように、照明付きバックミラーは、前面に開口１１を有するカバー１と、カバー１の内面に設けられ、光をカバー１の開口１１からカバー１の外へ反射させる、高反射係数の光照返し層１２と、カバー１の内部（カバー１と後述の鏡２との間）に設置され、カバー１の内面の光照返し層１２を照らす少なくとも１個の第１発光体４１を有する複数の発光装置４と、カバー１の内面に定位装置３を介して固定され、カバー１の開口１１に配置される鏡２と、カバー１の開口１１縁部と鏡２の縁部との間に形成され、発光装置４の光が漏出可能な隙間２１と、発光装置４に電気的に接続され、発光装置４を通電するためのコントロール装置５とを備えて構成される。
【００１１】
この場合、カバー１内面の光照返し層１２はカバー１内部の壁面に光照返し材料が糊付け若しくは貼り付け若しくは一体成型により積層形成され、又は電気鍍金により形成される。
【００１２】
発光装置４は鏡２の背面側周囲又は定位装置３の周囲若しくは横に設置され、発光体４１はＬＥＤ、ＬＥＤ照明ライト、ＳＭＤ  ＬＥＤ、ＳＭＤ  ＬＥＤ照明ライト、ハロゲンランプ、ＨＩＤ、電球、冷光片から選択的に採用される。
【００１３】
定位装置３は、コントロール装置５に電気的に接続され、鏡２の角度を調節する電動傾斜機構３１からなり、この電動傾斜機構３１は、カバー１の内面に設けられる駆動装置３１１と、駆動装置３１１に取り付けられてこの駆動装置３１１により駆動される自由板３１５と、鏡２の背面側に設けられ、自由板３１５に第１、第２のほぞ３１３、３１４と穴との係合により固定される第１定位板３１２とにより構成される。なお、この場合、第１、第２のほぞ３１３、３１４は第１定位板３１２の背面側に設けられ、穴は自由板３１５に形成される。このようにして定位装置３がカバー１と鏡２との間に設置され、鏡２がカバー１の開口１１に傾動可能に配置される。
【００１４】
コントロール装置５は自動車及び自動二輪車その他の交通乗り物の内部に設置され、バックミラーの発光装置４、電動傾斜機構３１の駆動装置３１１及び交通乗り物の電源回路に電気的に接続される。このコントロール装置５により、発光装置４の発光体４１が通電されて発光し、電動傾斜機構３１の駆動装置３１１が通電されて作動する。
【００１５】
図４及び図５にこのバックミラーの発光装置４の発光状態を示している。図４及び図５に示すように、このバックミラーでは、カバー１内部の発光装置４がカバー１の開口１１とは反対の後方（の光照返し層１２）に向けて発光し、その反射光がカバー１の開口１１縁部と鏡２の縁部との間の隙間２１から漏出され、これにより優しい補助的な光の照明が得られる。
【００１６】
以上説明したように、この照明付きバックミラーでは、カバー内の発光装置４が開口１１とは反対の後方（の光照返し層１２）に向けて発光し、その反射光がカバー１の開口１１縁部と鏡２の縁部との間の隙間２１から漏出されて、これが優しい補助的な光の照明になるので、この優しい光により、運転者は天気及び道路の状況が悪くても、自動車の後方の状況をつかむことができ、自動車を何ら心配することもなく安全に運転することができる。そして、このような反射発光を利用したことにより、光が運転者にとって眩し過ぎすることがなく、また、後方車両のヘッドライトとの光度差は一切発生することもない。また、この光は、後方の自動車の運転者にとっても視覚上の悪い影響はなく、又はきわめて低く、しかも、この光により、弱い光源のところ（光の弱いところ）は見易くなり、後方の運転者に迷惑をかけることもなく、交通事故の防止及び交通安全の向上に大いに資することができ、その実用性はきわめて良好といえる。また、この光は、鏡２上で平均的に光り、長期間の運転でも、高光度による疲れは無い。発する光源及び光度のバランスは良好で、産業上の利用性としても良いものとなる。さらに、この光は優しい光のため、違法性の疑いはまったく無く、この光により、バックミラーの外観を変えることなく、目立たせることができる。夜や暗い場所で光るので、後方車両の不注意でバックミラーに当たる可能性も大幅に減ることになる。
【００１７】
また、この照明付きバックミラーでは、コントロール装置５を交通乗り物の電源回路に繋ぐことによって、この照明を方向指示器又は警示灯としては使うことができる。このバックミラーを装着すれば、機能及び効果は一般のバックミラーよりもますます広がることになる。
【００１８】
さらに、この照明付きバックミラーでは、定位装置３により、運転手は何時でも何処でも鏡２の角度を自動調節することができるので、交通事故の防止及び交通安全の向上に寄与することができる。また、他面で、この定位装置３の定位板３１２及び自由板３１５の組み合わせにより、定位装置３の組み立て及び整備の面で有利となり、鏡２が割れたり発光装置４が故障したりした時でも、迅速に修理することができ、整備コストも低く抑えることができる。
【００１９】
またさらに、この照明付きバックミラーでは、カバー１の大きさにより、第１発光体４１の数及び設置位置を決められるため、本考案の光度は維持でき、正しく発光し、反射角度の調節が便利、産業性良く、大量生産に向く。
【００２０】
図６及び図７に第２の実施の形態を示している。なお、この実施の形態は第１の実施の形態と共通の基本構成を備え、第１の実施の形態とは定位装置３のみが異なるものである。図６及び図７に示すように、この定位装置３は鏡２の角度を任意に調整する自在継ぎ手機構３２により構成される。この自在継ぎ手機構３２は、カバー１の内面に設置される（略球面状の受け座を有する）定位座３３と、鏡２の背面側に設けられ、定位座３３に向けて突出し、定位座３３に嵌合可能な（略球状の係合部を有する）定位ジョイント３５を有する第２定位板３４とを備え、第２定位板３４が定位ジョイント３５を介して定位座３３に傾動可能に結合される。このようにすることにより、鏡２を自在継ぎ手機構３２を介して任意の角度に調整することができる。この照明付きバックミラーは電動ミラーを使用できないバイクなどに好適となる。また、この定位装置３の定位座３３及び定位ジョイント３５の組み合わせは、定位装置３の組み立て及び整備の面で有利となり、鏡２が割れたり発光装置４が故障したりした時でも、迅速に修理することができ、整備コストも低く抑えることができる。かかるバックミラーにおいても本考案の適用範囲であり、第１の実施の形態と同一の符号を付された共通の構成を備え、第１の実施の形態と同様の作用効果を奏することができる。
【００２１】
図８及び図９に第３の実施の形態を示している。なお、この実施の形態は第１の実施の形態と共通の基本構成を備え、さらに、第１の実施の形態とは異なる構成の隙間２１、照明装置６、定位装置３を備えるものである。図８及び図９に示すように、カバー１の開口１１縁部と鏡２の縁部との間の隙間２１に防水性及び透光性を有するゴム２２が気密に設けられる。このようにゴム２２で隙間２１を気密に塞いで、バックミラー内部を密封したことにより、バックミラーに水の浸入を防止して、水の接触による電子装置の故障を未然に防止することができる。カバー１の開口１１とは反対側に透光灯台６１が設けられ、透光灯台６１内部に少なくとも１個の第２発光体６２を有する照明装置６が設置され、コントロール装置５に電気的に接続される。なお、この場合、第１発光体４１及び第２発光体６２はＬＥＤ、ＬＥＤ照明ライト、ＳＭＤ  ＬＥＤ、ＳＭＤ  ＬＥＤ照明ライト、パロゲンランプ、ＨＩＤ、電球及び冷光片等から選択的に採用される。この照明装置６の設置により、この照明装置６を自動車の方向指示器及び警示灯として利用することができ、方向指示器及び警示灯の数が増える。この照明の場合、鏡２の外側を光らせるため、警示効果を有し、全体的に安全性が向上する。どんな角度からでも、この照明を採用する交通乗り物に周囲の注意が向けられる。定位装置３は、カバー１内に設けられる固定ホルダー３６と、鏡２の背面側に設けられ、固定ホルダー３６に第３のほぞ３８と穴との係合により繋げられる第３定位板３７とにより構成される。なお、この場合、第３のほぞ３８は第３定位板３７の背面側に設けられ、穴は固定ホルダー３６に形成される。この定位装置３は従来から採用される簡易式のもので、従来の一般的な交通乗り物に好適である。また、この定位装置３の固定ホルダー３６及び第３定位板３７の組み合わせは、定位装置３の組み立て及び整備の面で有利となり、鏡２が割れたり発光装置４が故障したりした時でも、迅速に修理することができ、整備コストも低く抑えることができる。かかるバックミラーにおいても本考案の適用範囲であり、第１の実施の形態と同一の符号を付された共通の構成を備え、第１の実施の形態と同様の作用効果を奏することができる。
【００２２】
なお、上記各実施の形態について次の点を補足する。
（１）これらの照明付きバックミラーは、異なる発光源を用いることにより、異なる発光効果が得られ、消費者のさまざなニーズに応えることができる。
（２）これらの照明付きバックミラーは、各種の交通乗り物に適用することができる。（３）これらの照明付きバックミラーは、光照返し層１２を種々に変更することができ、各種のカバー１に適用することにより、バリエーションをさらに拡大することができる。（４）これらの照明付きバックミラーでは、他の部材、装置が邪魔になって、発光装置４の光度が低下しないように、内部の部材、装置の形式に応じて、内部の構成を適宜変更することにより、発光装置４の発する光をカバー１内部で正しく光らせ、カバー１の外へ反射させることができる。
（５）これらの照明付きバックミラーの構造のデザインは使用範囲が広く、旧式交通乗り物にも適用することができ、本考案のバックミラーを着装することにより、その機能及び効果は普通のバックミラーよりますます広がる。
以上により、本考案の構造、特徴、作動及び効果は新規性及び創作性要件を備えており、実用新案登録出願を提出する。
【符号の説明】
【００２３】
１  カバー
１１  開口
１２  光照り返し層
２  鏡
２１  隙間
２２  ゴム
３  定位装置
３１  電動傾斜機構
３１１  起動装置
３１２  第１定位板
３１３  第１ほぞ
３１４  第２ほぞ
３１５  自由板
３２  自在継手機構
３３  定位座
３４  第２定位板
３５  定位ジョイント
３６  固定ホルダー
３７  第３定位板
３８  第３ほぞ
４  発光装置
４１  第１発光体
５  コントロール装置
６  照明装置
６１  透光灯台
６２  第２発光体
【図１】
0003152152.tif 000003
【図２】
0003152152.tif 000004
【図３】
0003152152.tif 000005
【図４】
0003152152.tif 000006
【図５】
0003152152.tif 000007
【図６】
0003152152.tif 000008
【図７】
0003152152.tif 000009
【図８】
0003152152.tif 000010
【図９】
0003152152.tif 000011
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
前面に開口（１１）を有するカバー（１）と、
前記カバー（１）の内面に設けられ、光を前記カバー（１）の開口（１１）から前記カバー（１）の外へ反射させる、高反射係数の光照返し層（１２）と、
前記カバー（１）の内部に設置され、前記光照返し層（１２）を照らす少なくとも１個の発光体（４１）を有する発光装置（４）と、
前記カバー（１）の内面に定位装置（３）を介して固定され、前記カバー（１）の開口（１１）に配置される鏡（２）と、
前記カバー（１）の開口（１１）縁部と前記鏡（２）の縁部との間に形成され、前記発光装置（４）の光が漏出可能な隙間（２１）と、
前記発光装置（４）に電気的に接続され、前記発光装置（４）を通電するためのコントロール装置（５）と、
を備えたことを特徴とする照明付きバックミラー。
【請求項２】
光照返し層（１２）はカバー（１）内部の壁面に糊付け若しくは貼り付け若しくは一体成型若しくは電気鍍金により形成される請求項１に記載の照明付きバックミラー。
【請求項３】
発光装置（４）は鏡（２）の背面側周囲又は定位装置（３）の周囲若しくは横に設置される請求項１又は２に記載の照明付きバックミラー。
【請求項４】
カバー（１）の開口（１１）とは反対側に透光灯台（６１）が設けられ、前記透光灯台（６１）内部に少なくとも１個の発光体（６２）を有する照明装置（６）が設置され、コントロール装置（５）に電気的に接続される請求項１乃至３のいずれかに記載の照明付きバックミラー。
【請求項５】
発光体（４１）、（６２）はＬＥＤ、ＬＥＤ照明ライト、ＳＭＤ  ＬＥＤ、ＳＭＤ  ＬＥＤ照明ライト、ハロゲンランプ、ＨＩＤ、電球、冷光片から選択的に採用される請求項４に記載の照明付きバックミラー。
【請求項６】
定位装置（３）は、コントロール装置（５）に電気的に接続され、鏡（２）の角度を調節する電動傾斜機構（３１）により構成され、前記電動傾斜機構（３１）は、カバー（１）の内面に設けられる駆動装置（３１１）と、前記駆動装置（３１１）に取り付けられて前記駆動装置（３１１）により駆動される自由板（３１５）と、前記鏡（２）の背面側に設けられ、前記自由板（３１５）にほぞ（３１３）、（３１４）と穴との係合により固定される第一定位板（３１２）とを備える請求項１乃至５のいずれかに記載の照明付きバックミラー。
【請求項７】
定位装置（３）は鏡（２）の角度を調整する自在継ぎ手機構（３２）により構成され、前記自在継ぎ手機構（３２）は、カバー（１）の内面に設置される定位座（３３）と、前記鏡（２）の背面側に設けられ、前記定位座（３３）に向けて突出される定位ジョイント（３５）を介して繋げられる第二定位板（３４）とを備える請求項１乃至５のいずれかに記載の照明付きバックミラー。
【請求項８】
定位装置（３）は、カバー（１）内に設けられる固定ホルダー（３６）と、鏡（２）の背面側に設けられ、前記固定ホルダー（３６）にほぞ（３８）と穴との係合により繋げられる第三定位板（３７）とにより構成される請求項１乃至５のいずれかに記載の照明付きバックミラー。
【請求項９】
隙間（２１）に防水性及び透光性を有するゴム（２２）が気密に設けられる請求項１乃至８のいずれかに記載の照明付きバックミラー。
【請求項１０】
コントロール装置（５）は自動車及び自動二輪車その他の交通乗り物の電源回路に電気的に接続される請求項１乃至９のいずれかに記載の照明付きバックミラー。